【事件の表示】
　特願２００３−２８６０５５「映像データ記録再生システム及び映像データ記録再生方法」拒絶査定不服審判事件〔平成１６年　３月１１日出願公開、特開２００４−　７８９４６〕について、次のとおり審決する。
【結　論】
　本件審判の請求は、成り立たない。
【理　由】
１．手続の経緯
　本願は、平成６年５月２５日に出願した特願平６−１１５０６７号の一部を平成１５年８月４日に新たな特許出願としたものであって、平成１７年１０月２７日付けで拒絶査定がなされ、これに対し、同年１２月１日に拒絶査定不服審判が請求され、同年１２月２７日付けで手続補正書が提出されたものである。
　
　
２．本願発明について
　本願請求項１〜５に係る発明は、平成１７年１２月２７日付けの手続補正書の特許請求の範囲の請求項１〜５に記載された事項により特定される、以下のとおりのものである。
　
「【請求項１】
　外部から入力された映像データを記録する映像データ記憶装置と、制御信号によりシステムを制御するシステム制御装置とからなる映像データ記録再生システムであって、
　上記映像データ記憶装置、上記システム制御装置はイーサーネットでなるコンピュータネットワークを介して接続されており、
　上記映像データ記憶装置に記憶された映像データを編集した結果に関する情報に基づいて、
　上記システム制御装置は上記映像データ記憶装置から映像データを読み出すことを特徴とする映像データ記録再生システム。
　　【請求項２】
　上記編集した結果に関する情報に、編集による加工を必要とする編集がない場合には再び映像データ記憶装置に記録することなく、必要な部分のアドレスを上記システム制御装置に保持することを特徴とする請求項１記載の映像データ記録再生システム。
　　【請求項３】
　上記映像データ記憶装置は、複数のディスクドライブからなり、上記イーサーネットでなるコンピュータネットワークを介した上記システム制御装置からの制御信号により、上記複数のディスクドライブに、複数の入力チャンネルからの映像データを記録することを特徴とする請求項１記載の映像データ記録再生システム。
　　【請求項４】
　上記映像データ記憶装置は、さらに圧縮／伸長部を備え、外部からの映像データが入力されるのに要する時間より短い時間で、該映像データを内部処理することを特徴とする請求項１記載の映像データ記録再生システム。
　　【請求項５】
　外部から入力された映像データを記録する映像データ記憶装置と、制御信号によりシステムを制御するシステム制御装置とからなる映像データ記録再生システムによって実行される映像データ記録再生方法であって、
　上記映像データ記憶装置、上記システム制御装置はイーサーネットでなるコンピュータネットワークを介して接続されており、上記映像データ記憶装置に記憶された映像データを編集した結果に関する情報に基づいて、
　上記映像データ記憶装置から映像データを読み出す映像データ読み出し工程を備えることを特徴とする映像データ記録再生方法。」
　
　
３．刊行物に記載された事項
（１）刊行物１
　原査定の拒絶の理由に引用された特開平５−２８４４５４号公（以下、「刊行物１」という。）には、図面とともに次の技術事項が記載されている。
　
【発明の詳細な説明】
【０００１】
【産業上の利用分野】本発明は、例えば、カラー静止画符号化方式としてのＪＰＥＧ（Joint Photographic Expert Group)規格で圧縮されたデジタルビデオ信号とＡＤＰＣＭ（Adaptive Differential PCM ，適応予測差分符号化）方式で圧縮されたデジタルオーディオ信号とを光ディスクあるいはハードディスク等のディスク装置、半導体メモリに連続同期して記録／再生できるビデオディスクレコーダに係わる情報記録再生装置に関するものである。
　
【０００９】本発明になる情報記録再生装置を下記するように、動画像レコーダを例として説明する。
【００１０】動画像レコーダ１は、図１に示すように、ビデオ処理部２、オーディオ処理部３、パネル部４、制御部５、メディア６、データバスライン７から構成される。
【００１１】上記したビデオ処理部２はデコーダ２ａ、Ａ／Ｄ変換器２ｂ、フレームメモリ２ｃ１，２ｃ２、圧縮伸張器（圧縮伸張部）２ｄ１，２ｄ２、バスインターフェース２ｅ、ＦＩＦＯ２ｆ、Ｄ／Ａ変換器２ｇ、エンコーダ２ｈから構成される。上記したオーディオ処理部３はフィルタ３ａ，３ｇ、Ａ／Ｄ変換器３ｂ、ＡＤＰＣＭエンコード／デコーダ３ｃ、バスインターフェース３ｄ、ＦＩＦＯ３ｅ、Ｄ／Ａ変換器３ｆから構成される。上記した制御部５はＰＩＯ５ａ、ＣＰＵ５ｂ、ＳＣＳＩインターフェース５ｃから構成される。上記したメディア６は標準装備される光磁気ディスクドライバ６ａ、拡張用メディアとしてのハードディスクドライバ６ｂ、半導体メモリ６ｃから構成される。ＶＭＥバス規格であるデータバスライン７は上記したビデオ処理部２、オーディオ処理部３、制御部５、半導体メモリ６ｃ間に相互接続される。
【００１２】ここで、本発明構成のデータ圧縮伸張手段は圧縮伸張器２ｄ１，２ｄ２に対応する。
【００１３】（１）  まず、記録動作について説明する。
【００１４】外部（例えばビデオカメラ、ＶＴＲ等）から、ＮＴＳＣ放送方式のコンポジットビデオ信号（コンポジット入力）、または輝度・色信号に分離されたＹ／Ｃコンポーネント信号（Ｙ／Ｃ入力）が上記したビデオ処理部２内のデコーダ２ａに連続して入力される。デコーダ２ａはこれら供給されたビデオ信号を色差電圧変換（ＹＵＶ変換）して得たＹＵＶ信号を次段のＡ／Ｄ変換器２ｂに対して出力する。Ａ／Ｄ変換器２ｂはこのＹＵＶ信号をＡ／Ｄ変換して得たデジタル信号（ＹＵＶデジタルデータ）を図示せぬデータ分配器を介して、フレームメモリ２ｃ１またはフレームメモリ２ｃ２に対し、１フレーム期間毎（１／３０秒毎）に順次交互に連続して供給する。フレームメモリ２ｃ１はここにストアした１フレーム分のＹＵＶデジタルデータを、ＪＰＥＧ規格で入出力データを圧縮伸張する圧縮伸張器２ｄ１に供給する。圧縮伸張器２ｄ１はパネル部４からのキースイッチ入力（「ＲＥＣＯＲＤ  ＭＯＤＥ」スイッチ４０９ａ〜４０９ｃを択一することにより発生する切換信号）に応じて、制御部５内のＣＰＵ５ｂから供給される圧縮率制御信号により設定された圧縮率で上記した１フレーム分のＹＵＶデジタルデータを圧縮して得た記録圧縮データをバスインターフェース２ｅに対して出力する。
【００１５】同様に、フレームメモリ２ｃ２はここにストアした１フレーム分のＹＵＶデジタルデータを上記した圧縮伸張器２ｄ１と同一構成の圧縮伸張器２ｄ２に供給する。圧縮伸張器２ｄ２は圧縮伸張器２ｄ１と同一の圧縮率で１フレーム分のＹＵＶデジタルデータを圧縮して得た記録圧縮データを双方向であるバスインターフェース２ｅに対して出力する。
【００１６】後述する図２に示すように、圧縮伸張器２ｄ１，２ｄ２は１フレーム走査期間毎に交互に圧縮動作を行う。バスインターフェース２ｅは圧縮伸張器２ｄ１，２ｄ２から交互に供給される記録圧縮データを双方向であるＦＩＦＯ２ｆを介してデータバスライン７上に出力する。
【００１７】制御部５のＰＩＯ５ａを介してＣＰＵ５ｂに取り込むパネル部４からのスイッチ入力（「ＲＥＭＯＴＥ」スイッチ４０２をローカル状態に切り換えておくことにより発生する、光磁気ディスクドライバ６ａを選択する旨のメディア選択信号）に応じて、ＣＰＵ５ｂは上記したビデオ処理部２からデータバスライン７上に転送された圧縮データを光磁気ディスクドライバ６ａへ転送記録する動作を開始する。
【００１８】即ち、ＣＰＵ５ｂはデータバスライン７上の上記した圧縮データを一旦その内部メモリへ取り込んだ後、順次ここからこの圧縮データをＳＣＳＩインターフェース５ｃに対して読み出す。ＳＣＳＩインターフェース５ｃはこの圧縮データをＳＣＳＩ規格の信号フォーマットに変換した後、ＳＣＳＩデータラインを介して光磁気ディスクドライバ６ａに供給する。光磁気ディスクドライバ６ａはＳＣＳＩ規格の信号フォーマットに変換されている圧縮データを光磁気ディスクドライバ６ａ自体の信号フォーマットに変換して、そこに装填されている追記録可能な光磁気ディスクに順次記録する。
【００１９】こうして、上記したビデオ信号は連続してデジタルビデオ信号に変換されデータ圧縮された後、光磁気ディスクに記録される。
【００２０】上記したのはメディア６として光磁気ディスクドライバ６ａのみ選択しこれを用いたことについて説明したが、この他、メディア６を拡張するために、図示するように、上記したＳＣＳＩインターフェース５ｃにハードディスクドライバ６ｂをさらに接続して光磁気ディスクドライバ６ａとハードディスクドライバ６ｂとを用いて圧縮データをそれぞれ同時にまた適宜分割して記録（コピー）可能なことは勿論である。
【００２１】また、光磁気ディスクドライバ６ａとハードディスクドライバ６ｂとを単独に用いるか、同時に使用するかは、パネル部４からのスイッチ入力（「ＲＥＭＯＴＥ」スイッチ４０２をリモート状態に切り換えておき、さらに拡張用メディアを特定する操作を行うことにより発生する、「ハードディスクドライバ６ｂを選択する旨のメディア選択信号」、「光磁気ディスクドライバ６ａ＋ハードディスクドライバ６ｂを選択する旨のメディア選択信号」）に応じてＣＰＵ５ｂがこれらのメディア６を指定することによって行われる。
【００２２】さらに、これに加えて制御部５を介することなくデータバスライン７に直接接続される半導体メモリ６ｃを用いてさらにメディア６を拡張することができる。
【００２３】さらにまた、パネル部４からのスイッチ入力（「半導体メモリ６ｃを選択する旨のメディア選択信号」、「半導体メモリ６ｃ＋光磁気ディスクドライバ６ａを選択する旨のメディア選択信号」、「半導体メモリ６ｃ＋ハードディスクドライバ６ｂを選択する旨のメディア選択信号」、「半導体メモリ６ｃ＋光磁気ディスクドライバ６ａ＋ハードディスクドライバ６ｂを選択する旨のメディア選択信号」）に応じてＣＰＵ５ｂがこれらのメディア６を指定することによって行われる。  ところで、上記した外部からのビデオ信号に同期した例えば２チャンネルステレオ・オーディオ信号（Ｌ，Ｒチャンネルの音声信号）が上記したオーディオ処理部３内のフィルタ３ａに連続して入力される。フィルタ３ａはＡ／Ｄ変換の前処理であるオーディオ信号の高域ノイズ成分を除去し帯域制限されたオーディオ信号を次段のＡ／Ｄ変換器３ｂに対して出力する。Ａ／Ｄ変換器３ｂは帯域制限されたオーディオ信号をＡ／Ｄ変換して得たデジタルオーディオ信号（片チャンネル当り１６ビットのデジタルオーディオデータ）をＡＤＰＣＭエンコード／デコーダ３ｃに連続して供給する。ＡＤＰＣＭエンコード／デコーダ３ｃはＡ／Ｄ変換器３ｂからの上記したデジタルオーディオデータをＡＤＰＣＭ方式でエンコードし、片チャンネル当り４ビットに変換して得た圧縮オーディオデータ（記録圧縮データ）をバスインターフェース３ｄに対して出力する。バスインターフェース３ｄはこの圧縮データを双方向のＦＩＦＯ３ｅを介してデータバスライン７上に出力する。
【００２４】上記したように、「光磁気ディスクドライバ６ａを選択する旨のメディア選択信号」が指定されているので、ＣＰＵ５ｂはオーディオ処理部３からデータバスライン７上に転送された圧縮オーディオデータを光磁気ディスクドライバ６ａへ圧縮ビデオデータと共に転送記録する動作を開始する。
【００２５】即ち、ＣＰＵ５ｂはデータバスライン７上の圧縮オーディオデータを一旦その内部メモリの圧縮ビデオデータを格納する部分とは別の部分に取り込んだ後、順次ここからこの圧縮データをＳＣＳＩインターフェース５ｃに対して読み出す。ＳＣＳＩインターフェース５ｃはこの圧縮オーディオデータデータをＳＣＳＩ規格の信号フォーマットに変換した後、ＳＣＳＩデータラインを介して光磁気ディスクドライバ６ａに供給する。光磁気ディスクドライバ６ａはＳＣＳＩ規格の信号フォーマットに変換されている圧縮データを光磁気ディスクドライバ６ａ自体の信号フォーマットに変換して圧縮ビデオデータと関連して光磁気ディスクに順次記録する。
【００２６】こうして、上記した２チャンネルステレオ・オーディオ信号は連続してデジタルオーディオ信号に変換されデータ圧縮された後、圧縮ビデオデータと共に光磁気ディスクに記録される。
　
【００２８】（２）  つぎに、再生動作について説明する。
【００２９】パネル部４からのスイッチ入力（「ＲＥＶ  ＳＣＡＮ」スイッチ４１４、「ＦＷＤ  ＳＣＡＮ」スイッチ４１５、「ＲＥＶ  ＰＬＡＹ」スイッチ４１６、「ＦＷＤ  ＰＬＡＹ」スイッチ４１７、「ＲＥＶ  ＳＬＯＷ」スイッチ４１８、「ＦＷＤ  ＳＬＯＷ」スイッチ４１９、「ＲＥＶ  ＳＴＩＬＬ  ＳＴＥＰ」スイッチ４２０、「ＦＷＤ  ＳＴＩＬＬ  ＳＴＥＰ」スイッチ４２１によりそれぞれ選択された「再生選択信号」）に基づいて制御部５内のＣＰＵ５ｂは光磁気ディスクドライバ６ａに対してその再生動作を開始する旨の再生開始制御信号を出力する。
【００３０】このスイッチ操作に応じて光磁気ディスクドライバ６ａは再生動作を開始し、光磁気ディスクに記録されている圧縮ビデオデータ、圧縮オーディオデータを上記したスイッチ特有の再生指定動作に応じて連続再生する。
【００３１】こうして、前記記録圧縮データを再生した再生圧縮データは光磁気ディスクドライバ６ａ自体の信号フォーマットから一旦ＳＣＳＩ規格の信号フォーマットに変換された後、ＳＣＳＩラインを介してＳＣＳＩインターフェース５ｃに供給され、ここで、動画像レコーダ１の信号フォーマットに再変換された後、ＣＰＵ５ｂ内部のメモリのそれぞれの部分に取り込まれる。
【００３２】この後、ＣＰＵ５ｂのデータ読出開始制御によって、メモリからデータバスライン７上に読み出された圧縮データはこのデータ内に包含されるプリアンブルデータ（ビデオ、オーディオ識別データ）によって、圧縮ビデオデータはビデオ処理部２内のＦＩＦＯ２ｆを介してバスインターフェース２ｅに取り込まれ、また、圧縮オーディオデータはオーディオ処理部３内のＦＩＦＯ３ｅを介してバスインターフェース３ｄに取り込まれる。
【００３３】ビデオ処理部２内のバスインターフェース２ｅは圧縮伸張器２ｄ１，２ｄ２に対してデータバスライン７上から得られた上記の圧縮データを同時に供給する。圧縮伸張器２ｄ１はＣＰＵ５ｂから伸張開始制御信号が供給されている期間、同時に供給される伸張率制御信号によって設定された伸張率で圧縮データを伸張して得た１フレーム分のＹＵＶデジタルデータをフレームメモリ２ｃ１に対して出力する。ここで行われるデータ伸張動作は前述したデータ圧縮動作と相補的であることは勿論である。圧縮伸張器２ｄ２は圧縮伸張器２ｄ１と同一伸張率で圧縮データを伸張して得た１フレーム分のＹＵＶデジタルデータをフレームメモリ２ｃ２に対して出力する。圧縮伸張器２ｄ１，２ｄ２は１フレーム走査期間毎に交互に伸張動作を行う。
【００３４】フレームメモリ２ｃ１，２ｃ２はそれぞれにストアした１フレーム分のＹＵＶデジタルデータをＤ／Ａ変換器２ｇに交互に供給する。Ｄ／Ａ変換器２ｇはこのＹＵＶデジタルデータをＤ／Ａ変換して得たＹＵＶ信号をエンコーダ２ｈに対して出力する。エンコーダ２ｈはＹＵＶ逆変換して得たコンポジットビデオ信号とＹ／Ｃ信号を出力する。
【００３５】こうして、ＮＴＳＣ放送方式のコンポジットビデオ信号、Ｙ／Ｃ信号は連続して再生可能となる。
【００３６】さて、上記したように、ＣＰＵ５ｂのデータ読出制御によってデータバスライン７上に読み出された圧縮オーディオデータはオーディオ処理部３内のＦＩＦＯ３ｅを介してバスインターフェース３ｄに取り込まれる。
【００３７】オーディオ処理部３内のバスインターフェース３ｄはＡＤＰＣＭエンコード／デコーダ３ｃに対してデータバスライン７上から得られた上記の圧縮データを供給する。ＡＤＰＣＭエンコード／デコーダ３ｃはＣＰＵ５ｂからデコード動作開始制御信号が供給されている期間、４ビットの圧縮オーディオデータを１６ビットのデジタルオーディオデータにデコードする。ここで行われるデコード動作は前述したエンコード動作と相補的であることは勿論である。
【００３８】ＡＤＰＣＭエンコード／デコーダ３ｃは１６ビットのデジタルオーディオデータをＤ／Ａ変換器３ｆに供給する。Ｄ／Ａ変換器３ｆはこのデジタルオーディオデータをＤ／Ａ変換して得た２チャンネルステレオ・オーディオ信号をフィルタ３ｇに対して出力する。フィルタ３ｇは先のＤ／Ａ変換時に発生する高域のノイズ成分を除去して得た２チャンネルステレオ・オーディオ信号を出力する。
【００３９】このように、データ圧縮されて記録されたコンポジットビデオ信号、Ｙ／Ｃ信号及びデータ圧縮された２チャンネルステレオ・オーディオ信号は同期して連続再生することができる。
【００４０】また、ここでは詳述しないが、光磁気ディスクドライバ６ａ、ハードディスクドライバ６ｂ、半導体メモリ６ｃに必要に応じて分割あるいは同時記録されている圧縮ビデオデータと圧縮オーディオデータとを上記したのと同様に再生することができることは勿論である。
　
　これらの記載によれば、刊行物１には、次の発明（以下、「刊行物１発明」という。）が開示されていると認めることができる。
　「デジタルビデオ信号とデジタルオーディオ信号とをハードディスク等のディスク装置などに連続同期して記録／再生できるビデオディスクレコーダに係わる情報記録再生装置であって、
　データバスライン７はビデオ処理部２、オーディオ処理部３、制御部５、半導体メモリ６ｃ間に相互接続され、
　外部（例えばビデオカメラ、ＶＴＲ等）から、コンポジット入力、またはＹ／Ｃ入力がビデオ処理部２内のデコーダ２ａに連続して入力され、制御部５内のＣＰＵ５ｂはデータバスライン７からデータを取り込み、ＳＣＳＩデータラインを介して、光磁気ディスクドライバ６ａとハードディスクドライバ６ｂとに、それぞれ同時にまた適宜分割して記録（コピー）し、
　再生動作では、光磁気ディスクドライバ６ａ、ハードディスクドライバ６ｂ、半導体メモリ６ｃに必要に応じて分割あるいは同時記録されている圧縮ビデオデータと圧縮オーディオデータとを再生することができる、
　情報記録再生装置。」
　
４．対比
　本願請求項１に係る発明（以下、「本願発明」という。）と刊行物１発明とを比較する。
　刊行物１発明の外部（例えばビデオカメラ、ＶＴＲ等）からの信号を入力する「情報記録再生装置」は、本願発明の「映像データ記録再生システム」に相当する。
　また、刊行物１発明の「光磁気ディスクドライバ６ａ」や「ハードディスクドライバ６ｂ」は、外部（例えばビデオカメラ、ＶＴＲ等）から入力されたコンポジット入力、またはＹ／Ｃ入力を記録するから、本願発明の「外部から入力された映像データを記録する映像データ記憶装置」に相当する。
　また、刊行物１発明の「制御部５内のＣＰＵ５ｂ」は、ビデオ処理部２の圧縮伸張器２ｄ１に、圧縮率制御信号を供給し（【００１４】）、データバスライン７上の上記した圧縮データを一旦その内部メモリへ取り込んだ後、順次ここからこの圧縮データをＳＣＳＩインターフェース５ｃに対して読み出し（【００１８】）、メディア６（光磁気ディスクドライバ６ａやハードディスクドライバ６ｂなど）を指定し（【００２１】）、データ読出開始制御を行い、内部メモリからデータバスライン７上に圧縮データを読み出し（【００３２】）、オーディオ処理部３内のＡＤＰＣＭエンコード／デコーダ３ｃにデコード動作開始制御信号が供給する（【００３７】）から、本願発明の「制御信号によりシステムを制御するシステム制御装置」に相当する。
　刊行物１発明では、「制御部５内のＣＰＵ５ｂ」は、「光磁気ディスクドライバ６ａ」や「ハードディスクドライバ６ｂ」とは、「ＳＣＳＩデータライン」を介して接続されるから、本願発明の「上記映像データ記憶装置、上記システム制御装置はイーサーネットでなるコンピュータネットワークを介して接続されており、」とは、「上記映像データ記憶装置、上記システム制御装置は有線を介して接続されており、」である点で一致する。
　刊行物１発明では、「光磁気ディスクドライバ６ａ、ハードディスクドライバ６ｂ、半導体メモリ６ｃに必要に応じて分割あるいは同時記録されている圧縮ビデオデータと圧縮オーディオデータとを再生することができる」から、この点、刊行物１発明は、本願発明の「上記システム制御装置は上記映像データ記憶装置から映像データを読み出す」に相当する。
　
　したがって、両者は、
　「外部から入力された映像データを記録する映像データ記憶装置と、制御信号によりシステムを制御するシステム制御装置とからなる映像データ記録再生システムであって、
　上記映像データ記憶装置、上記システム制御装置は有線を介して接続されており、
　上記システム制御装置は上記映像データ記憶装置から映像データを読み出すことを特徴とする映像データ記録再生システム。」
の点で一致し、以下の点で相違している。
　
［相違点１］
　「有線」が、本願発明は、「イーサーネットでなるコンピュータネットワーク」であるのに対して、刊行物１発明では、「イーサーネット」や「コンピュータネットワーク」については、記載されていない点。
　
［相違点２］
　「映像データ記憶装置から映像データを読み出す」が、本願発明では、「映像データ記憶装置に記憶された映像データを編集した結果に関する情報に基づいて、」であるのに対して、刊行物１発明では、「映像データを編集した結果に関する情報」については、記載されていない点。
　
５．判断
［相違点１］について
　映像データ記録再生システムにおいて、イーサーネットでなるコンピュータネットワークを介して、映像データ記憶装置及び制御装置を接続し、記憶装置から映像データを読み出すことは、周知技術（例えば、特開平５−２０４９９６号公報（画像通信システムにおいて、イーサネットでなるネットワークを介して、ワークステーション装置Ｃ１，Ｃ２，・・・Ｃｍから情報蓄積装置Ｄに蓄積した画像データを読み出す点（【００１０】、【００２３】）。）、国際公開第９２／２１０９５号（イーサネットなどのＬＡＮを介して、大規模記憶装置１８０に蓄積した動画像列を作業端末１１０ａ〜１１０ｃが共用する点（第１８頁第４〜１１行）。）等参照。）である。
　したがって、刊行物１発明の「情報記録再生装置」（本願発明の「映像データ記録再生システム」に相当。）における、「光磁気ディスクドライバ６ａ」や「ハードディスクドライバ６ｂ」（本願発明の「映像データ記憶装置」に相当。）と「制御部５内のＣＰＵ５ｂ」（本願発明の「システム制御装置」に相当。）との接続にあたり、上記周知技術を用いて、「イーサーネットでなるコンピュータネットワーク」を用いることは、当業者が必要に応じて適宜実施し得たものである。
　
［相違点２］について
　映像データ記録再生システムにおいて、データ記憶装置に記憶されたデータを、データを編集した結果に関する情報を用いて読み出することは、周知技術（例えば、特開昭６２−５０００５７号公報（複数のビデオ・ディスクに記録された画像を再生するビデオ装置において、画像を照覧するための構成を予め規定する操作データに応答して予め規定された照覧構成に従って画像を再生し、画像をディスク上のトラックとは異なるある順序でアクセスする点（請求項１，９，１１、第５頁右上欄第１０〜１７行）。）、特開平５−２５２５０９号公報（マルチメディア装置において、データ記憶装置８に記憶された動画像等のマルチメディア情報を、予め指定した出力リストにしたがって蓄積記憶されたセグメントデータを順次出力する点（【００２３】）。）等参照。）であるから、刊行物１発明の「情報記録再生装置」（本願発明の「映像データ記録再生システム」に相当。）において、「光磁気ディスクドライバ６ａ」や「ハードディスクドライバ６ｂ」（本願発明の「映像データ記憶装置」に相当。）から映像データを読み出すにあたり、上記周知技術を用いて、「映像データ記憶装置に記憶された映像データを編集した結果に関する情報に基づいて、」読み出すことは、当業者が容易に想到できたものである。
　
　そして、本願発明の作用効果も、刊行物１発明から当業者が予測できる範囲のものである。
　
　
６．結び
　したがって、本願請求項１に係る発明は、刊行物１発明に基づいて、当業者が容易に発明をすることができたものであるから、その余の請求項２〜５について論及するまでもなく、特許法第２９条第２項の規定により、特許を受けることができない。
　
　よって、結論のとおり審決する。